(57)【特許請求の範囲】
【請求項１】
映像信号を出力する画像出力装置と接続される表示装置であって、
前記画像出力装置から前記映像信号を入力する入力手段と、
前記映像信号に基づく画像を表示する表示手段と、
第１の画質モードと、前記第１の画質モードよりも低輝度の表示を行う第２の画質モードとを含む複数の画質モードのいずれかを選択する選択手段と、
前記選択手段により選択された画質モードが前記第１の画質モードであり、かつ前記映像信号のフレーム周波数が２４Ｈｚの整数倍である場合に、前記映像信号のフレーム周波数の変更を前記画像出力装置に指示する指示信号を前記画像出力装置に出力する制御手段とを備えたことを特徴とする表示装置。
【請求項２】
前記フレーム周波数の変更操作を入力する操作手段を備え、
前記制御手段は、前記フレーム周波数の変更を促す画像を前記表示手段に表示し、前記フレーム周波数の変更操作が入力された場合に、前記指示信号を前記画像出力装置に出力することを特徴とする請求項１記載の表示装置。
【請求項３】
前記表示装置の周囲の明るさを検知する検知手段を備え、
前記制御手段は、前記選択手段により選択された画質モードが前記第１の画質モードであり、かつ前記映像信号のフレーム周波数が２４Ｈｚの整数倍であり、かつ前記検知手段により検知された明るさが所定値未満である場合に、前記指示信号を前記画像出力装置に出力することを特徴とする請求項１又は２記載の表示装置。  
【請求項４】
前記制御手段は、前記選択手段により選択された画質モードが前記第２の画質モードである場合、または前記映像信号のフレーム周波数が６０Ｈｚである場合には、前記映像信号のフレーム周波数の変更を前記画像出力装置に指示する指示信号を前記画像出力装置に出力しないことを特徴とする請求項１又は２記載の表示装置。
【請求項５】
請求項１から請求項４までのいずれか１項に記載の表示装置と接続される画像出力装置であって、
前記表示装置から指示信号を受信する通信手段と、
前記受信した指示信号に従って、前記表示装置に出力する前記映像信号のフレーム周波数を変更する変更手段とを備えたことを特徴とする画像出力装置。
【請求項６】
映像信号を出力する画像出力装置と接続される表示装置の制御方法であって、
前記表示装置の通信手段が、前記画像出力装置から前記映像信号を入力する入力ステップと、
前記表示装置の表示手段が、前記映像信号に基づく画像を表示する表示ステップと、
前記表示装置の選択手段が、第１の画質モードと、前記第１の画質モードよりも低輝度の表示を行う第２の画質モードとを含む複数の画質モードのいずれかを選択する選択ステップと、
前記表示装置の制御手段が、前記選択ステップで選択された画質モードが前記第１の画質モードであり、かつ前記映像信号のフレーム周波数が２４Ｈｚの整数倍である場合に、前記映像信号のフレーム周波数の変更を前記画像出力装置に指示する指示信号を前記画像出力装置に出力する制御ステップと、を有することを特徴とする表示装置の制御方法。
【請求項７】
前記表示装置の操作手段が、前記フレーム周波数の変更操作の入力を受ける操作ステップを有し、
前記表示装置の制御手段が、前記制御ステップで、前記フレーム周波数の変更を促す画像を前記表示手段に表示し、前記フレーム周波数の変更操作が入力された場合に、前記指示信号を前記画像出力装置に出力することを特徴とする請求項６記載の表示装置の制御方法。
【請求項８】
前記表示装置の検知手段が、前記表示装置の周囲の明るさを検知する検知ステップを有し、
前記表示装置の制御手段が、前記制御ステップで、前記選択手段により選択された画質モードが前記第１の画質モードであり、かつ前記映像信号のフレーム周波数が２４Ｈｚの整数倍であり、かつ前記検知手段により検知された明るさが所定値未満である場合に、前記指示信号を前記画像出力装置に出力することを特徴とする請求項６又は７記載の表示装置の制御方法。
【請求項９】
前記表示装置の制御手段が、前記制御ステップで、前記選択手段により選択された画質モードが前記第２の画質モードである場合、または前記映像信号のフレーム周波数が６０Ｈｚである場合には、前記映像信号のフレーム周波数の変更を前記画像出力装置に指示する指示信号を前記画像出力装置に出力しないことを特徴とする請求項６又は７記載の表示装置の制御方法。
【請求項１０】
請求項６から請求項９までのいずれか１項に記載の表示装置の制御方法が適用される前記表示装置と接続される画像出力装置の制御方法であって、
前記画像出力装置の通信手段が、前記表示装置から指示信号を受信する通信ステップと、
前記画像出力装置の変更手段が、前記受信した指示信号に従って、前記表示装置に出力する前記映像信号のフレーム周波数を変更する変更ステップと、を有することを特徴とする画像出力装置の制御方法。
【発明の詳細な説明】
【技術分野】
【０００１】
本発明は、複数のフレーム周波数のいずれかを有する映像信号を出力する表示装置、画像出力装置、表示装置の制御方法及び画像出力装置の制御方法に関する。
【背景技術】
【０００２】
近年、コンシューマ向けのＡＶ機器において、２４Ｈｚのフレーム周波数で映像を入出力できる映像再生装置や表示装置が出始めている。特許文献１には、フレーム周波数が２４Ｈｚである出力機能を有する再生装置が開示されている。
【特許文献１】特開２００６−２２２９３８号公報
【発明の開示】
【発明が解決しようとする課題】
【０００３】
しかしながら、上記従来の技術では、２４Ｈｚのフレーム周波数で映像再生を行う際、表示装置の画質設定が高輝度かつ鮮やかな設定である場合、ジャダーが必要以上に強調されてしまい妨害を感じる場合がある。このため、表示される映像は必ずしも好ましい画質とならなかった。
【０００４】
そこで、本発明は、高輝度で映像を表示する際、ジャダーによる映像視聴時の妨害感を軽減することができる表示装置、画像出力装置、表示装置の制御方法及び画像出力装置の制御方法を提供することを目的とする。
【課題を解決するための手段】
【０００５】
上記目的を達成するために、本発明の表示装置は、映像信号を出力する画像出力装置と接続される表示装置であって、前記画像出力装置から前記映像信号を入力する入力手段と、前記映像信号に基づく画像を表示する表示手段と、第１の画質モードと、前記第１の画質モードよりも低輝度の表示を行う第２の画質モードとを含む複数の画質モードのいずれかを選択する選択手段と、前記選択手段により選択された画質モードが前記第１の画質モードであり、かつ前記映像信号のフレーム周波数が２４Ｈｚの整数倍である場合に、前記映像信号のフレーム周波数の変更を前記画像出力装置に指示する指示信号を前記画像出力装置に出力する制御手段とを備えたことを特徴とする。
【発明の効果】
【０００９】
本発明によれば、画質モードに適したフレーム周波数に変更することができ、ダイナミックモードのような高輝度で映像を表示する際、ジャダーによる映像視聴時の妨害感を軽減することができる。従って、ユーザは好適に映像を視聴することができる。
【発明を実施するための最良の形態】
【００１４】
本発明の実施の形態について図面を参照しながら説明する。本実施の形態に係わる画像制御装置は映像表示システムに適用される。
【００１５】
［第１の実施形態］
図１は第１の実施形態における映像表示システムの構成を示すブロック図である。映像表示システムは、映像表示装置１００および映像再生装置１５０から構成され、映像表示装置１００と映像再生装置１５０を接続して映像再生を行う。
【００１６】
ここで、映像表示装置１００のデジタル復調回路１０１と映像再生装置１５０のデジタル変調回路１５１と間の信号伝送には、マルチフォーマット対応の、例えばＨＤＭＩ（商標）等の動画像用のデジタルインターフェイスが用いられる。映像再生装置１５０は、映画や音楽などのコンテンツの再生を行い、映像表示装置１００に映像信号を出力する。映像信号として出力されるコンテンツのフレーム周波数は、例えば２４Ｈｚや６０Ｈｚなどである。
【００１７】
映像再生装置１５０は、データ読み出し部１６１、データ記憶装置１６４、復調部１７１、フレーム周波数変換部１７２、設定部１８１、デジタル変調回路１５１およびデジタルインターフェイス（Ｉ／Ｆ）１５５を有する。
【００１８】
データ記憶装置１６４は、Ｂｌｕ−ｒａｙ  ＤｉｓｋやＨＤ ＤＶＤ（商標）などの光ディスクにデータを記録・蓄積する。データ読み出し部１６１は、データ記憶装置１６４内のＢｌｕ−ｒａｙ  ＤｉｓｋやＨＤ ＤＶＤ（商標）などの光ディスク、あるいはＬＡＮやＵＳＢ等で接続されたＨＤＤやフラッシュメモリ等に記録されたデータの読み出しを行う。データ読み出し部１６１で読み出されたデータは、ＭＰＥＧ−２、Ｈ．２６４／ＡＶＣ、ＶＣ−１などの圧縮フォーマットで圧縮されている。
【００１９】
復調部１７１は、データ読み出し部１６１で読み出されたデータを映像データなどに復調する。
【００２０】
設定部１８１は、入力部１８１ａを有し、ユーザによるＧＵＩ操作などによって映像再生装置１５０の各部の設定を行う。また、設定部１８１は、フレーム周波数変換部１７２の映像フレーム周波数の設定も行う。設定部１８１には、本体とほぼ同様の操作可能な外部リモコン１９１が設けられている。この外部リモコン１９１は、映像表示装置１００側の、後述する画質モード設定部１３１の入力部１３１ａに対し、画質モードの選択やフレーム周波数の変更操作の指示にも用いられる。
【００２１】
フレーム周波数変換部１７２は、映像のフレーム周波数を変換するものであり、２４Ｈｚ（第２の周波数）から６０Ｈｚ（第１の周波数）へ、６０Ｈｚから２４Ｈｚへといったように、フレーム周波数を変化させる。なお、フレーム周波数変換部１７２は、２４Ｈｚをそのまま２４Ｈｚ、あるいは６０Ｈｚをそのまま６０Ｈｚといったように、スルー出力も可能である。
【００２２】
デジタル変調回路１５１は、映像データのデジタル変調を行う。デジタルインターフェイス（Ｉ／Ｆ）１５５（第２の通信手段）は、前述したように、マルチフォーマット対応の、例えばＨＤＭＩ（商標）といった動画像用のデジタルインターフェイスである。なお、デジタルインターフェイスとしては、ＨＤＭＩ（商標）に限らず、映像信号と機器制御信号が別々の信号線を用いて伝送されるものであってもよい。デジタルインターフェイス１５５は、デジタル変調された映像データを映像表示装置１００に伝送する他、後述するように、映像表示装置１００から伝送された指示信号を設定部１８１に送出する。
【００２３】
一方、映像表示装置１００は、デジタルＩ／Ｆ１０５、デジタル復調回路１０１、映像信号処理部１１１、視聴環境判定部１２１、メッセージ生成部１２２、信号生成部１２５、画質モード設定部１３１、表示制御部１４１および表示部１４２を有する。
【００２４】
デジタルインターフェイス（Ｉ／Ｆ）１０５（第１の通信手段）は、前述したように、マルチフォーマット対応の、例えばＨＤＭＩ（商標）といった動画像用のデジタルインターフェイスである。なお、デジタルインターフェイスとしては、ＨＤＭＩ（商標）に限らず、デジタルＩ／Ｆ１５５と適合し、映像信号と機器制御信号が別々の信号線を用いて伝送されるものであってもよい。デジタルインターフェイス１０５は、映像再生装置１５０から伝送されるデジタル変調された映像データを受信する他、後述するように、信号生成部１２５で生成された指示信号を映像再生装置１５０に伝送する。
【００２５】
映像信号処理部１１１は、デジタル復調回路１０１で復調された、映像再生装置１５０からの映像信号に対し、階調補正、色補正、Ｉ／Ｐ変換、輪郭補正、ノイズリダクション、α合成などの信号処理を行う。
【００２６】
画質モード設定部１３１は、コンテンツの種類や視聴環境など、利用シーンによって最適な画質が得られるように複数の画質モードを設け、入力部１３１ａを介したＧＵＩ操作などにより各画質パラメータを映像信号処理部１１１や表示制御部１４１に設定する。また、画質モード設定部１３１（モード選択手段）は、ＧＵＩ操作などにより選択された画質モードなどを視聴環境判定部１２１に送出する。
【００２７】
なお、本実施形態においては、画質モード設定部１３１には、「ダイナミック」、「スタンダード」、「シネマ」という名称で画質モードがプリセットされ、ユーザのＧＵＩ操作などによって各パラメータの変更が行われる。
【００２８】
画質モードを「シネマ」（第２のモード）に設定した場合、映画コンテンツはシアター環境での視聴に適した表示となり、輝度やコントラストが低く抑えられ、また落ち着いた色調で映像が再現される。一方、画質モードを「ダイナミック」（第１のモード）に設定した場合、店頭など明るい視聴環境に適した表示となり、高輝度かつ鮮やかな色調の画質で映像が再現される。このように、第１のモードは、低輝度の表示となる第２のモードと比べて高輝度の表示となる。
【００２９】
視聴環境判定部１２１は、デジタル復調回路１０１から映像信号の映像フォーマットやフレーム周波数などのデータを受信するとともに、画質モード設定部１３１で設定されている画質モード、輝度、色温度などの設定値を受信し、判定を行う。
【００３０】
メッセージ生成部１２２は、視聴環境判定部１２１において、画質モードが「ダイナミック」であり、かつ映像フォーマットのフレーム周波数が２４Ｈｚであった場合、映像再生装置１５０のフレーム周波数の変更を促すメッセージを生成する。また、信号生成部１２５は、同様に、視聴環境判定部１２１において、画質モードが「ダイナミック」であり、かつ映像フォーマットのフレーム周波数が２４Ｈｚであった場合、デジタルＩ／Ｆ１０５を制御し、映像再生装置１５０に伝送される指示信号を生成する。この指示信号には、例えばデジタルＩ／Ｆ１０５がＨＤＭＩ（商標）で構成される場合、機器制御信号であるＣＥＣ（Consumer Electronics Control）信号が用いられる。この指示信号は、映像再生装置１５０の設定部１８１に入力され、フレーム周波数の変更を自動的に行うように指示する信号である。
【００３１】
表示制御部１４１（表示制御手段）は、映像信号処理部１１１から所望の映像信号を受け、表示部１４２の駆動方式に適した信号に変換する。例えば、映像信号処理部１１１に入力される映像信号のフレーム周波数が２４Ｈｚであり、かつ表示部１４２の駆動周波数が１２０Ｈｚである場合、表示制御部１４１は、フレーム周波数を２４Ｈｚから１２０Ｈｚに変換する。表示部１４２には、ＰＤＰ、ＬＣＤ、有機ＥＬ、ＦＥＤなど、デジタルインターフェイスを備えたフラットパネルが用いられる。
【００３２】
上記構成を有する映像表示システムの動作を示す。図２は映像表示装置１００の動作手順を示すフローチャートである。この処理は、主に視聴環境判定部１２１によって行われる。なお、視聴環境判定部１２１、メッセージ生成部１２２および信号生成部１２５は、請求項に記載の制御手段に相当する。
【００３３】
まず、映像表示装置１００は、デジタルＩ／Ｆ１０５を介して、映像表示装置１００の入力であるデジタル復調回路１０１で映像信号が検出されるまで待つ（ステップＳ１）。
【００３４】
映像信号が検出されると、映像表示装置１００は、その映像信号のフレーム周波数および画質モードの判定を行う。すなわち、映像表示装置１００は、フレーム周波数が２４Ｈｚの整数倍であるか否かを判定する（ステップＳ２）。本実施形態では、２４Ｈｚのフレーム周波数について説明しているが、４８Ｈｚ等のフレーム周波数でも同様である。フレーム周波数が２４Ｈｚの整数倍であった場合、さらに画質モードがダイナミックモードであるか否かを判定する（ステップＳ３）。
【００３５】
判定の結果、フレーム周波数が２４Hzでかつ画質モードが「ダイナミック」であった場合、映像表示装置１００は、映像再生装置１５０のフレーム周波数を他の周波数に変更するように、表示部１４２にメッセージを表示させる制御を行う（ステップＳ４）。具体的に、表示部１４２は、「フレーム周波数を６０Ｈｚへの変更をお勧めします!」といった内容のＧＵＩ表示（ガイド表示）を行う。
【００３６】
映像表示装置１００は、メッセージに従って、フレーム周波数の変更操作が行われたか否かを判別する（ステップＳ５）。変更操作の指示が行われた場合、映像表示装置１００は、映像再生装置１５０にフレーム周波数の変更を指示する指示信号を送信する（ステップＳ６）。この後、映像表示装置１００はステップＳ１の処理に戻る。一方、ステップＳ５で変更操作の指示が行われなかった場合、映像表示装置１００はそのままステップＳ１の処理に戻る。
【００３７】
このように、ユーザは、表示部１４２のＧＵＩ表示を見て、このメッセージに従って、フレーム周波数を変更する場合、映像表示装置１００の画質モード設定部１３１内の入力部１３１ａに対し、外部リモコン１９１等で操作を行う。映像表示装置１００は、視聴環境判定部１２１がこの操作を受けると、信号生成部１２５で指示信号を生成し、デジタルＩ／Ｆ１０５を制御して映像再生装置１５０に指示信号を送信する。映像再生装置１５０側では、後述するように、デジタルＩ／Ｆ１５５によって指示信号が受信されると、フレーム周波数変換部１７２によって、コンテンツのフレーム周波数が２４Ｈｚであったとしても、映像出力のフレーム周波数は６０Ｈｚに変更される。
【００３８】
なお、ユーザは、フレーム周波数を変更する場合、映像再生装置１５０の設定部１８１内の入力部１８１ａに対し、外部リモコン１９１等で操作を行うことも可能である。これにより、フレーム周波数変換部１７２によって、コンテンツのフレーム周波数が２４Ｈｚであったとしても、映像出力のフレーム周波数を６０Ｈｚに変更することが可能となる。
【００３９】
一方、ステップＳ３で画質モードが「ダイナミック」でなかった場合、映像表示装置１００は、フレーム周波数の変更を促すメッセージのＧＵＩ表示（ガイド表示）を中止する（ステップＳ７）。この後、映像表示装置１００はステップＳ１の処理に戻る。
【００４０】
図３は映像再生装置１５０の動作手順を示すフローチャートである。映像再生装置１５０は、デジタルＩ／Ｆ１５５を介して映像表示装置１００から、あるいは設定部１８１からフレーム周波数の変更を指示する指示信号を受信したか否かを判別する（ステップＳ１１）。指示信号を受信した場合、映像再生装置１５０はフレーム周波数変換部１７２に設定されたフレーム周波数を自動的に変更する（ステップＳ１２）。この後、映像再生装置１５０は本処理を終了する。
【００４１】
図４はフレーム周波数の変換を示す図である。同図（Ａ）はフレーム周波数が２４Ｈｚである映像コンテンツを、１２０Ｈｚ駆動の映像表示装置１００で表示する際のフレーム周波数の変換を示す。同図（Ｂ）は映像再生装置１５０が出力する６０Hzの映像信号のフレーム周波数を画質モードに応じて変更する場合のフレーム補間例を示す。同図（Ｃ）は、映像再生装置１５０が出力する２４Ｈｚの映像信号のフレーム周波数を、画質モードに応じて変更する場合のフレーム補間例を示す。
【００４２】
同図（Ａ）に示すように、画質モードが「シネマ」である場合、映像再生装置１５０は２４Ｈｚのまま映像出力を行う。そして、映像表示装置１００は、２４Ｈｚの映像信号を入力すると、同一のフレーム画像を５回繰り返し表示することで、１２０Ｈｚのフレーム周波数に変換する。このように、同図（Ａ）では、なめらかな補間フレーム生成を行わないので、映画特有のジャダー感まで正確に再現され、よりオリジナルに近いシネマ再現が可能になる。
【００４３】
一方、同図（Ｂ）に示すように、画質モードが「ダイナミック」である場合、映像再生装置１５０は２４Ｈｚから６０Ｈｚにフレーム周波数を変換し、６０Ｈｚの映像信号を出力する。そして、映像表示装置１００は、６０Ｈｚから１２０Ｈｚにフレーム周波数を変換する。その際、前後フレームから滑らかな動きとなる中間フレームａ１’、ａ２’、ａ３’が生成される。
【００４４】
また、同図（Ｃ）は、画質モードが「ダイナミック」でかつ、映像再生装置１５０が２４Ｈｚの映像信号を出力する場合のフレーム周波数の変換過程を示している。映像表示装置１００が、フレーム補間によるフレーム周波数変換が可能な場合には、２４Ｈｚの映像信号を滑らかな（ジャダーレス）１２０Ｈｚの映像信号にフレーム周波数を変換し、１２０Ｈｚで映像表示する。その際、前後フレームから滑らかな動きとなる中間フレームａ２’、ａ３’、ａ４’、ａ５’が生成される。
【００４５】
これにより、フレーム周波数が２４Ｈｚのコンテンツをより高輝度な「ダイナミック」で視聴した場合、フレーム間で動きのあるシーンであってもジャダーが必要以上に目立つことがなくなり、妨害感が軽減される。
【００４６】
このように、第１の実施形態の映像表示システムでは、次のような動作が行われる。映像表示装置１００内の視聴環境判定部１２１が、外部から入力される映像信号のフレーム周波数と、設定された画質モードとから、ジャダー妨害が目立つおそれのあると判断した場合、映像信号のフレーム周波数の変更を促すようなＧＵＩ（ガイド）表示を行う。ユーザがＧＵＩ表示に従ってフレーム周波数の変更を指示した場合、映像表示装置１００は映像再生装置１５０にフレーム周波数の変更を指示する指示信号を送信する。映像再生装置１５０は、この指示信号を受信すると、フレーム周波数変換部１７２によって映像表示装置１００に出力される映像信号のフレーム周波数を変更する。  これにより、画質モードに適したフレーム周波数に変更することができ、ダイナミックモードのような高輝度で映像を表示する際、ジャダーによる映像視聴時の妨害感を軽減することができる。従って、ユーザは好適に映像を視聴することができる。また、フレーム周波数の変更をユーザに促すことができ、フレーム周波数の変更に際してユーザの意思を反映することができる。
【００４７】
［第２の実施形態］
図５は第２の実施形態における映像表示システムの構成を示すブロック図である。第２の実施形態の映像表示装置１００には、前記第１の実施形態と比べ、さらに外光検知部１３２が追加されている。外光検知部（外光センサ）１３２には、例えば照度センサ、ＲＧＢセンサ、分光センサ、カメラ等が用いられる。外光検知部１３２は、映像表示装置１００が設置されている部屋の明るさや照明光源の色温度を検知する。その他の構成は前記第１の実施形態と同一であるので、同一の符号を付すことによりその説明を省略する。
【００４８】
第２の実施形態では、視聴環境判定部１２１は、画質モード設定部１３１で設定された画質モードの他、さらに、外光検知部１３２によって検知された周囲の明るさを基に、ジャダー妨害が目立ちやすい条件を判定する。
【００４９】
図６は映像表示装置１００の動作手順を示すフローチャートである。この処理は、主に視聴環境判定部１２１によって行われる。前記第１の実施形態と同一のステップ処理については同一のステップ番号を用いることでその説明を省略する。
【００５０】
ステップＳ２でフレーム周波数が２４Ｈｚの整数倍であり、かつステップＳ３で画質モードがダイナミックモードであった場合、映像表示装置１００は、外光検知部１３２によって検知される周囲の明るさが所定値未満であるか否かを判別する（ステップＳ３Ａ）。周囲の明るさが所定値未満である場合、映像表示装置１００は、ステップＳ４の処理に進み、映像再生装置１５０のフレーム周波数を他の周波数に変更するように、表示部１４２にメッセージを表示させる制御を行う。一方、周囲の明るさが所定値未満でない場合、映像表示装置１００はステップＳ１の処理に戻る。なお、ステップＳ３Ａでは、周囲の明るさの代わりに、あるいは周囲の明るさとともに、色温度によって判別するようにしてもよい。
【００５１】
図７は映像再生装置１５０から出力される映像信号のフレーム周波数を決定するために用いられるテーブルである。このテーブルは視聴環境判定部１２１に格納されている。映像再生装置１５０から出力される映像信号のフレーム周波数は、このテーブルを基に、画質モード設定部１３１で設定される画質モード、外光検知部１３２によって検知される明るさ、および復調部１７１で検出されるフレーム周波数に応じて、決定される。特に、コンテンツのフレーム周波数が２４Ｈｚであり、画質モードがダイナミックモードであり、かつ外光が２００ルックス（ｌｘ）未満である場合、映像再生装置１５０から出力される映像信号のフレーム周波数は６０Ｈｚに決定される。
【００５２】
一方、映像再生装置１５０側の動作は前記第１の実施形態と同様である。すなわち、指示信号を受信すると、映像再生装置１５０は、フレーム周波数変換部１７２によって映像再生装置１５０から出力される映像信号のフレーム周波数を変更する。
【００５３】
第２の実施形態の映像表示システムでは、映像表示装置１００は、設置された部屋の明るさが暗く、かつ画質モードが映像再現を強調するようなダイナミックモードの設定である場合、ユーザがジャダーを妨害として感じるおそれが高いと判断する。そして、映像表示装置１００は、好ましいフレーム周波数に変更するように、ＧＵＩ等によりガイド表示を行う。このように、周囲の明るさといった視聴環境を考慮することができ、より適切にジャダーによる映像視聴時の妨害感を軽減することができる。
【００５４】
［第３の実施形態］
図８は第３の実施形態における映像表示システムの構成を示すブロック図である。第２の実施形態の映像表示装置１００には、前記第２の実施形態と比べ、メッセージ生成部１２２が省かれている。また、視聴環境判定部１２１および信号生成部１２５の代わりに、周波数変更部１２３が設けられている。周波数変更部１２３には、前述した図７に示すテーブルが格納されている。
【００５５】
また、映像再生装置１５０のデジタル変調回路１５１およびデジタルＩ／Ｆ１５５が省かれ、代わりにＨＤＭＩ（商標）からなるインターフェイス１５２が設けられている。また、映像表示装置１００のデジタル復調回路１０１およびデジタルＩ／Ｆ１０５が省かれ、代わりにＨＤＭＩ（商標）からなるインターフェイス１０２が設けられている。従って、映像表示装置１００と映像再生装置１５０は、ＨＤＭＩ（商標）からなるインターフェイス１０２とＨＤＭＩ（商標）からなるインターフェイス１５２によって接続されている。また、映像表示装置１００から映像再生装置１５０への指示信号には、ＣＥＣ信号が用いられる。その他の構成は前記第２の実施形態と同一であるので、同一の符号を付すことによりその説明を省略する。
【００５６】
図９は映像表示装置１００の動作手順を示すフローチャートである。この処理は、主に周波数変更部１２３によって行われる。前記第２の実施形態と同一のステップ処理については同一のステップ番号を用いることでその説明を省略する。
【００５７】
ステップＳ３Ａで検知される周囲の明るさが所定値未満である場合、映像表示装置１００は、表示部１４２にＧＵＩ画像を表示する制御を行うことなく、ステップＳ６でフレーム周波数の変更を指示する指示信号を映像再生装置１５０に送信する。
【００５８】
一方、映像再生装置１５０側の動作は前記第１の実施形態と同様である。すなわち、指示信号を受信すると、映像再生装置１５０は、フレーム周波数変換部１７２によって映像再生装置１５０から出力される映像信号のフレーム周波数を変更する。すなわち、Ｂｌｕ−ｒａｙ  Ｄｉｓｋに収録された映像のフレーム周波数が２４Ｈｚであり、画質モードがダイナミックモードであり、かつ外光センサ１３２の検出値が２００ｌｘ未満の場合、映像再生装置の出力フレーム周波数は２４Ｈｚから６０Ｈｚに自動的に変更される。
【００５９】
このように、第３の実施形態の映像表示システムでは、映像表示装置１００は、フレーム周波数の変更を促す画像を表示してユーザからの変更操作の指示を受け付けることなく、映像再生装置１５０に対し、自動的にフレーム周波数を変更する指示を行う。従って、コンテンツのフレーム周波数、映像表示装置１００の画質モード、部屋の明るさなどの視環境に応じて、映像再生装置１５０の出力フレーム周波数を自動的かつ速やかに変更することができる。
【００６０】
なお、本発明は、上記実施形態の構成に限られるものではなく、特許請求の範囲で示した機能、または本実施形態の構成が持つ機能が達成できる構成であればどのようなものであっても適用可能である。
【００６１】
例えば、自動的にフレーム周波数を変更する場合でも、自動的にフレーム周波数を変更した旨のメッセージを画像として表示部に表示するようにしてもよい。これにより、ユーザはその変更を知ることができる。
【００６２】
また、上記実施形態では、フレーム周波数として２４Ｈｚ、６０Ｈｚの場合を示したが、これらのフレーム周波数に限定されないことは勿論である。
【図面の簡単な説明】
【００６３】
【図１】第１の実施形態における映像表示システムの構成を示すブロック図である。
【図２】映像表示装置１００の動作手順を示すフローチャートである。
【図３】映像再生装置１５０の動作手順を示すフローチャートである。
【図４】フレーム周波数の変換を示す図である。
【図５】第２の実施形態における映像表示システムの構成を示すブロック図である。
【図６】映像表示装置１００の動作手順を示すフローチャートである。
【図７】映像再生装置１５０から出力される映像信号のフレーム周波数を決定するために用いられるテーブルである。
【図８】第３の実施形態における映像表示システムの構成を示すブロック図である。
【図９】映像表示装置１００の動作手順を示すフローチャートである。
【符号の説明】
【００６４】
１００  映像表示装置
１０２、１５２  インターフェイス
１５０  映像再生装置
１２１  視聴環境判定部
１２２  メッセージ生成部
１２３  周波数変更部
１２５  信号生成部
１３１  画質モード設定部
１３２  外光検知部
１４１  表示制御部
１４２  表示部
１５５、１６５  デジタルインターフェイス（Ｉ／Ｆ）
１７２  フレーム周波数変換部
１８１  設定部
１９１  外部リモコン
【図１】
0005264226.tif 000002
【図２】
0005264226.tif 000003
【図３】
0005264226.tif 000004
【図４】
0005264226.tif 000005
【図５】
0005264226.tif 000006
【図６】
0005264226.tif 000007
【図７】
0005264226.tif 000008
【図８】
0005264226.tif 000009
【図９】
0005264226.tif 000010